(57)【要約】【課題】電子機器を静電気障害から保護し、収納する電子機器の種類が異なる場合でも使用することができる脱落防止具を備えた電子機器類収納庫を提供する。【解決手段】棚板９の左右両端部に連結する連結具１２を設ける。該連結具１２に固定され棚板９の前面より前方に配された支持具１３を設ける。これら連結具１２と支持具１３とから成る落下防止体１１を形成する。該落下防止体１１の支持具１３に上下動自在に架設する落下防止バー１４を設ける。棚板９上に載置した電子機器の前面に落下防止バー１４を配置して電子機器の落下を防止するように構成する。【選択図】図１
2010040492.tif 000002
【特許請求の範囲】
【請求項１】
底板と天板とを貫通する導電性の長ボルトに導電性の棚板を架設した収納庫であって、該棚板の左右両端部に連結する連結具と、該連結具に固定され棚板の前面より前方に配された支持具と、該支持具に上下動自在に架設された落下防止バーとから成る落下防止体を形成し、該落下防止体を各棚板に装着すると共に、該棚板上に載置した電子機器の前面に落下防止バーを配置して電子機器の落下を防止するように構成したことを特徴とする電子機器類収納庫。
【請求項２】
前記連結具は、前記棚板の上面左右に載置すると共に、棚板を貫通する前記長ボルトを挿通せしめる切欠き部を形成した一対の係止片と、各係止片の端部から上方に屈曲された屈曲片と、屈曲片の前方に延長され前記支持具を固定する固定片とを有し、長ボルトにネジ止めされた固定ナットで係止片が棚板に固定される請求項１記載の電子機器類収納庫。
【請求項３】
前記支持具は、略筒状の収納部内にコイルバネを収納し、前記落下防止バーの端部を該コイルバネにて挟着して上下動自在に連結すると共に、該落下防止バーを上下にスライド移動せしめるスライド溝と、移動した落下防止バーを所定位置で係止せしめる係止溝とを収納部に形成した請求項１記載の電子機器類収納庫。
【請求項４】
前記収納庫は、四隅に設けられるフレーム状の支柱と、該支柱の上下に底板と天板とが連結され、収納庫の前面に装着される扉と収納庫の側面に装着される側板と収納庫の背面に装着される背面パネルとが設けられ、天板を貫通する導電性の長ボルトに導電性の棚板を連結し、該長ボルトの上端に電子機器類の静電気を放電させるアース用圧着端子を設け、電子機器類を所定の状態に保持して保管する電子機器類収納庫であって、前記棚板に、電子回路プリント基板等の小物電子機器に接する面に該小物電子機器を挟み込む凹部が形成された保持シートを装着し、電子回路プリント基板等の小物電子機器を収納するキャビネットとして使用する請求項１乃至３いずれか記載の電子機器類収納庫。
【請求項５】
前記収納庫は、前記棚板の上下面から前記保持シートを外すと共に、前記側板若しくは背面パネルを選択自在に取り外してサーバ等の電子機器を収納するラックとして使用する請求項１乃至４いずれか記載の電子機器類収納庫。
【発明の詳細な説明】
【技術分野】
【０００１】
本発明は、電子回路プリント基板やサーバ等の電子機器類を所定の状態に保持して保管する場合に、これら電子機器類を静電気障害及び盗難から保護すると共に、電子機器の脱落を防止する電子機器類収納庫に関する。
【背景技術】
【０００２】
本出願人は、特許文献１において、絶縁支持体に保持された磁気記録物等を保管する設備について、帯電物等の静電気障害防止方法を提案している。
【０００３】
また、本出願人は、特許文献２により、前記帯電物等の静電気障害防止のための帯電防止方法の具体的手段として、磁気記録物の保管装置を提案している。
【０００４】
更に本出願人は、特許文献３で、磁気ディスク等の磁気記録物や電子回路プリント基板を所定の状態に保持して保管する磁気記録物等の保管装置として、帯電状態表示手段を備えた電子機器等の収納庫を提案している。
【特許文献１】特公昭６１−４６９６０号公報
【特許文献２】実公平２−３２８０号公報
【特許文献３】特開平１１−２５１０８５号公報
【発明の開示】
【発明が解決しようとする課題】
【０００５】
このように、電子機器等の収納庫において、静電気障害防止手段について種々の提案がなされているが、地震などの振動を受けた際に、収納庫から電子機器の脱落を防止する手段についての提案はなかった。
【０００６】
すなわち、電子機器が電子回路プリント基板等の小物の場合と電子機器がサーバの如き電子機器の場合とでは、収納状態が異なるので、これらの電子機器の脱落を防止する共通の脱落防止具が望まれていた。
【０００７】
例えば、電子機器が電子回路プリント基板等の小物の場合には、棚板に保持シートを装着し、この保持シートの凹部に電子回路プリント基板等を差し込む構造などが採用されている。一方、電子機器がサーバ等の大型の電子機器の場合は、棚板上に載置して収納する。そして、これらの電子機器を載置する棚板は、電子機器類を静電気障害から保護するために、導電性の長ボルト８に架設され、電子機器の種類やサイズによって設置位置を自由に調整しながら導電性を確保するものであった。
【０００８】
そのため、電子機器類を静電気障害から保護する収納庫にあっては、棚板の位置調整の妨げにならず導電性を確保しながら異なるタイプの電子機器の落下を防止する必要がある。
【０００９】
そこで本発明は、これら従来の収納庫等を改良することで電子機器類を静電気障害から保護すると共に、収納する電子機器の種類が異なる場合でも共通して使用することができる脱落防止具を備えた電子機器類収納庫の提供を目的とするものである。
【課題を解決するための手段】
【００１０】
上述の課題を解決するため、本発明の第１の手段は、底板２と天板３とを貫通する導電性の長ボルト８に導電性の棚板９を架設した収納庫であって、該棚板９の左右両端部に連結する連結具１２と、該連結具１２に固定され棚板９の前面より前方に配された支持具１３と、該支持具１３に上下動自在に架設された落下防止バー１４とから成る落下防止体１１を形成し、該落下防止体１１を各棚板９に装着すると共に、該棚板９上に載置した電子機器の前面に落下防止バー１４を配置して電子機器の落下を防止するように構成したことにある。
【００１１】
第２の手段の前記連結具１２は、前記棚板９の上面左右に載置すると共に、棚板９を貫通する前記長ボルト８を挿通せしめる切欠き部１２Ａａを形成した一対の係止片１２Ａと、各係止片１２Ａの端部から上方に屈曲された屈曲片１２Ｂと、屈曲片１２Ｂの前方に延長され前記支持具１３を固定する固定片１２Ｃとを有し、長ボルト８にネジ止めされた固定ナット１５で係止片１２Ａが棚板９に固定されたものである。
【００１２】
第３の手段の前記支持具１３は、略筒状の収納部１３Ａ内にコイルバネ１３Ｂを収納し、前記落下防止バー１４の端部を該コイルバネ１３Ｂにて挟着して上下動自在に連結すると共に、該落下防止バー１４を上下にスライド移動せしめるスライド溝と、移動した落下防止バー１２を所定位置で係止せしめる係止溝とを収納部１３Ａに形成したものである。
【００１３】
第４の手段の前記収納庫は、四隅に設けられるフレーム状の支柱１と、該支柱１の上下に底板２と天板３とが連結され、収納庫の前面に装着される扉４と収納庫の側面に装着される側板５と収納庫の背面に装着される背面パネル６とが設けられ、天板３を貫通する導電性の長ボルト８に導電性の棚板９を連結し、該長ボルト８の上端に電子機器類の静電気を放電させるアース用圧着端子１０を設け、電子機器類を所定の状態に保持して保管する電子機器類収納庫であって、前記棚板９に、電子回路プリント基板等の小物電子機器に接する面に該小物電子機器を挟み込む凹部１６Ａが形成された保持シート１６を装着し、電子回路プリント基板等の小物電子機器を収納するキャビネットとして使用するものである。
【００１４】
第５の手段の前記収納庫は、前記棚板９の上下面から前記保持シート１６を外すと共に、前記側板５若しくは背面パネル６を選択自在に取り外してサーバ等の電子機器を収納するラックとして使用することを課題解消のための手段とする。
【発明の効果】
【００１５】
本発明の請求項１に記載の構成より、電子機器を静電気障害から保護すると共に、収納する電子機器の種類が異なる場合でも共通して脱落を防止することができる。したがって、棚板９に載置する電子機器が、電子回路プリント基板等の小物電子機器であっても、また、サーバ等の大型の電子機器であったとしても、同じ作業で簡単に脱落防止をすることができるものである。
【００１６】
請求項２の連結具１２によると、長ボルト８にネジ止めされた固定ナット１５で連結具１２の屈曲片１２Ｂが棚板９に固定されるので、棚板９の装着位置がどのように変更されても棚板９の所定位置に落下防止体１１を装着することができる。この結果、棚板９に載置した電子機器の前面に確実に落下防止バー１４を配置することが可能になる。
【００１７】
請求項３の支持具１３により、落下防止バー１４を上下動自在にすると共に、移動した落下防止バー１２を所定位置で係止せしめることができる。したがって、棚板９に電子機器を載置するときには、落下防止バー１４を移動することで、載置作業の妨げにならずに済み、載置後、電子機器の前面に落下防止バー１４を配置させることができる。
【００１８】
請求項４によると、棚板９の上下面に装着された保持シート１６は、電子回路プリント基板等の小物電子機器に接する面に該小物電子機器を挟み込む凹部１６Ａが形成されているので、電子回路プリント基板等の小物電子機器を安定した状態で収納することができる。この結果、落下防止体１１と前記落下防止バー１４とで確実に小物電子機器の落下を防止し、電子回路プリント基板等の小物電子機器を収納するキャビネットとして使用することができる。
【００１９】
請求項５により、棚板９の上下面から前記保持シート１６を除去すると共に、前記側板５若しくは背面パネル６を選択自在に取り外し、前記落下防止バー１４により、小物電子機器の落下を防止できるので、サーバ等の電子機器を収納するラックとして使用することができる。
【００２０】
このように、本発明によると、電子機器類を静電気障害から保護すると共に、収納する電子機器の種類が異なる場合でも脱落防止具を共通して使用することができ、しかも、電子回路プリント基板等の磁気記録物を収納するキャビネットや、サーバ等の電子機器を所定の状態に保管するラックとしての使用が可能になるなどといった有益な種々の効果を奏するものである。
【発明を実施するための最良の形態】
【００２１】
本発明の最良の形態は、収納庫の四隅に設けられるフレーム状の支柱１の上下に底板２と天板３とを連結する。扉４と側板５と背面パネル６とを設ける。底板２と天板３とを貫通する導電性の長ボルト８に導電性の棚板９を連結する。該長ボルト８の上端に電子機器類の静電気を放電させるアース用圧着端子１０を設ける。該棚板９は、前記長ボルト８を貫通させる切欠き貫通孔９Ｃを側面に形成し、該長ボルト８にネジ止めされた固定ナット１５で棚板９の高さを任意に調整できるように設ける。該棚板９の左右両端部に連結する連結具１２と、該連結具１２に固定され棚板９の前面より前方に配された支持具１３と、該支持具１３に上下動自在に架設された落下防止バー１４とから成る落下防止体１１を形成する。該落下防止体１１を各棚板９に装着すると共に、該棚板９上に載置した電子機器の前面に落下防止バー１４を配置して電子機器の落下を防止することにより、当初の目的を達成する。
【実施例】
【００２２】
以下、本発明の一実施例を説明する。本発明収納庫は、電子回路プリント基板等の小物電子機器を収納するキャビネットやサーバ等の電子機器を収納するラックとして使用する収納庫である。
【００２３】
本発明収納庫の主要構成は、収納庫の四隅に設けられるフレーム状の支柱１と、該支柱１の上下に連結される底板２と天板３とを有する（図１参照）。更に、収納庫の前面に装着される扉４と収納庫の側面に装着される側板５と収納庫の背面に装着される背面パネル６とから成る（図８、図９、図１０参照）。そして、この収納庫の内部に長ボルト８を立設してこの長ボルト８に棚板９を高さ調整自在に装着するものである（図２参照）。
【００２４】
底板２と天板３には、これら底板２と天板３とを貫通する導電性の全ねじ状の長ボルト８を装着している。そして、該長ボルト８の上端に電子機器類の静電気を放電させるアース用圧着端子１０を設け、このアース用圧着端子１０にアース線１０Ａを連結する（図１参照）。
【００２５】
落下防止体１１は、棚板９上に載置した電子機器の落下を防止するもので、該棚板９の左右両端部に連結する連結具１２と、該連結具１２に固定され棚板９の前面より前方に配された支持具１３と、該支持具１３に上下動自在に架設された落下防止バー１４とから成る（図３参照）。
【００２６】
連結具１２は、落下防止体１１を棚板９の左右上面に連結する部材で、棚板９を固定する長ボルト８にネジ止めされた固定ナット１５で棚板９に固定されている（図６参照）。
【００２７】
この連結具１２は、係止片１２Ａ、屈曲片１２Ｂ、固定片１２Ｃからなるもので、係止片１２Ａは、棚板９の左右両端部の上に載置する（図６参照）。この係止片１２Ａには、棚板９を貫通する前記長ボルト８を挿通せしめる切欠き部１２Ａａを形成している（図３参照）。そして、切欠き部１２Ａａ内に長ボルト８を差し込むように係止片１２Ａを装着し、予め長ボルト８にネジ止めしておいた固定ナット１５を係止片１２Ａに圧着して固定するものである（図６参照）。更に、係止片１２Ａの端部から上方に屈曲されているのが屈曲片１２Ｂである。
【００２８】
屈曲片１２Ｂの前方には、前記支持具１３を固定する固定片１２Ｃを延長形成している（図７参照）。図示の固定片１２Ｃは略板状を成し、支持具１３の側面に溶接するものを示しているが、固定片１２Ｃと支持具１３との固定手段は、ビス止めなど他の手段に変更することができる。
【００２９】
支持具１３は、下防止バー１４を上下移動せしめると共に、上下移動した落下防止バー１２を所定位置で係止せしめる部材である（図４参照）。この支持具１３は、収納部１３Ａ、コイルバネ１３Ｂとで構成される（図６参照）。
【００３０】
収納部１３Ａは、略筒状のもので、この収納部１３Ａの内部にコイルバネ１３Ｂを収納している（図６参照）。このコイルバネ１３Ｂに、前記落下防止バー１４の両端部を連結する（図４参照）。図示例では、コイルバネ１３Ｂとして圧縮コイルバネを使用し、コイルバネ１３Ｂの押圧力にて付勢される断面略コ字形状の連結具１３Ｂａを装着している（図６参照）。そして、この連結具１３Ｂａに挿入した落下防止バー１４の端部をコイルバネ１３Ｂの押圧力にて支持するように構成している。
【００３１】
この収納部１３Ａには、スライド溝１３Ａａと係止溝１３Ａｂとを形成している（図６参照）。スライド溝１３Ａａは、コイルバネ１３Ｂに連結した落下防止バー１４を上下にスライド移動せしめる溝である。また、係止溝１３Ａｂは、移動した落下防止バー１２を所定位置で係止せしめる溝として形成されている。
【００３２】
図示のスライド溝１３Ａａは、略角筒状に形成した収納部１３Ａの相対向する側面に形成されている（図６参照）。そして、コイルバネ１３Ｂの押圧力にて付勢された落下防止バー１４が棚板９に載置した電子機器の前面に配置されるように設けている。一方、係止溝１３Ａｂは、落下防止バー１４を下げた位置で係止するように形成されており、棚板９に電子機器を載置し、あるいは棚板９から電子機器を取り出すときに使用する。図示例の如く、係止溝１３Ａｂに係止された落下防止バー１４が、ほぼ棚板９の高さになるようにすると、落下防止バー１４は棚板９上で電子機器を載置し取り出す作業の妨げにならずに済む（図４参照）。
【００３３】
落下防止バー１４は、棚板９の前面左右両端部に一対設けた支持具１３に架設状態に装着されるもので、棚板９上に載置した電子機器の前面で上下動自在に支持される（図４参照）。この落下防止バー１４は、棚板９の長さとほぼ等しい長さを有し、棚板９の両端に装着した支持具１３に架設することで、棚板９上の全ての電子機器を保護するものである。図示例では、落下防止バー１４の両端部を各コイルバネ１３Ｂの連結具１３Ｂａ相互に差し込んで固定するだけなので、この落下防止バー１４を取り外すことも可能である（図６参照）。
【００３４】
棚板９は、金属板に導電性塗料が塗布されたものである。この棚板９は、前記長ボルト８を貫通させる切欠き貫通孔９Ｃを左右端部に形成し、該長ボルト８にネジ止めされた固定ナット１５で棚板９の高さを任意に調整できるように設けている（図７参照）。図示の棚板９は、切欠き貫通孔９Ｃに挿通した長ボルト８の上下に固定ナット１５を装着しておき、この固定ナット１５を棚板９の上下に締め付けることで、棚板９と長ボルト８とを固定するものである。このとき、棚板９と固定ナット１５との間に座金１５Ａを介することで、より強力で安定した固定ができる。
【００３５】
図示例の棚板９は、収納庫の内部に左右４本ずつ設置した長ボルト８に短い棚板９を並列に設置するものである（図３参照）。また、収納庫の内部に４本の長ボルト８を設置して長めの棚板９を設置することも可能である。
【００３６】
このように、長ボルト８に棚板９を連結固定することで、棚板９に載置した電子機器類の静電気を放電するように設けている。更に、棚板９の上下面又はいずれか一方の面に導電性の塩化ビニルシートから成る保持シート１６を着脱自在に装着する（図４参照）。
【００３７】
保持シート１６は、電子回路プリント基板等の小物電子機器を収納するキャビネットとして使用する際に棚板９に装着する。この保持シート１６には、電子回路プリント基板等の小物電子機器に接する面に該小物電子機器を挟み込む凹部１６Ａが形成されている。図示例では、該保持シート１６を前記棚板９の上下面に導電性ビスにて装着している（図４、図５参照）。そして、電子回路プリント基板等の板端部を上下の保持シート１６の凹部１６Ａに差し込んで収納するものである（図示せず）。このとき、保持シート１６の装着面を上下面のいずれかに限定したり、あるいは凹部１６Ａの幅を変更したりすることは自由に行える。
【００３８】
一方、棚板９の上下面から前記保持シート１６を外した場合は、サーバ等の電子機器を収納するラックとして使用することができる。この場合、棚板９表面に塗布した導電性塗料が導電作用を促進せしめるものである。また、側板５若しくは背面パネル６を選択自在に取り外すことも可能である。更に、扉４、側板５、背面パネル６の全てを取り外してオープン状態のラックとしても使用することも可能である（図示せず）。
【００３９】
アース用圧着端子１０は、長ボルト８の上端に設けられ、収納物の静電気を放電するものである。図示例では、長ボルト８の上端にネジ止めした２個の固定ナット１５の間にアース線１０Ａを挟着固定するものである（図１参照）。
【００４０】
扉４は、収納庫の前面に開閉自在に装着されるもので、この扉４は、片開き、両開きのいずれを選択しても良い。図示例ではアクリル窓４Ａとハンドル４Ｂとを設けた両開きの扉４を示している（図８参照）。
【００４１】
側板５は、収納庫の側面に着脱自在に装着されるもので、支柱１に形成された収納凹部１Ａに収納されて支柱１と側板５との面が面一になるようにビス５Ｂで連結されている（図９参照）。図示の側板５は、左右の支柱１の内側面上下に架設した補強材５Ａに装着する上下一対のもので、各側板５にシリンダー錠７が装着されている。図示例では、差左右の支柱１相互に補強材５Ａを架設し、この補強材５Ａにシリンダー錠７の爪を係止するようにしている。
【００４２】
背面パネル６は、収納庫の背面に着脱自在に装着されるもので、支柱１に形成された収納凹部１Ａに収納されて支柱１と背面パネル６との面が面一になるようにビス６Ａで連結されている（図１０参照）。この背面パネル６にも、開放防止用のシリンダー錠７を装着している。図示例では、シリンダー錠７の爪を天板３に直接係止するものである（図１０参照）。
【００４３】
尚、本発明は、図示例に限定されるものではなく、連結具１２、支持具１３、落下防止バー１４等の寸法や形状等の設計変更、及び長ボルト８、棚板９等は、本発明の要旨を変更しない範囲において自由に変更できるものである。
【図面の簡単な説明】
【００４４】
【図１】本発明の棚板の一実施例を示す使用正面図である。
【図２】本発明の棚板の一実施例を示す使用側面図である。
【図３】本発明の落下防止体の一実施例を示す使用平面図である。
【図４】本発明の落下防止体の一実施例を示す使用正面図である。
【図５】本発明の落下防止体の一実施例を示す要部正面図である。
【図６】図５に示す矢視VI−VI線を示す要部側面図である。
【図７】本発明の落下防止体を示す要部側面図である。
【図８】本発明の一実施例を示す正面図である。
【図９】本発明の一実施例を示す側面図である。
【図１０】本発明の一実施例を示す背面図である。
【符号の説明】
【００４５】
１  支柱
１Ａ  収納凹部
２  底板
３  天板
４  扉
４Ａ  アクリル窓
４Ｂ  ハンドル
５  側板
５Ａ  補強材
５Ｂ  ビス
６  背面パネル
６Ａ  ビス
７  シリンダー錠
８  長ボルト
９  棚板
９Ａ  切欠き貫通孔
１０  アース用圧着端子
１０Ａ  アース線
１１  支持体
１２  連結具
１２Ａ  係止片
１２Ａａ  切欠き部
１２Ｂ  屈曲片
１２Ｃ  固定片
１３  支持具
１３Ａ  収納部
１３Ａａ  スライド溝
１３Ａｂ  係止溝
１３Ｂ  コイルバネ
１３Ｂａ  連結具
１４  落下防止バー
１５  固定ナット
１５Ａ  座金
１６  保持シート
１６Ａ  凹部
【図１】
2010040492.tif 000003
【図２】
2010040492.tif 000004
【図３】
2010040492.tif 000005
【図４】
2010040492.tif 000006
【図５】
2010040492.tif 000007
【図６】
2010040492.tif 000008
【図７】
2010040492.tif 000009
【図８】
2010040492.tif 000010
【図９】
2010040492.tif 000011
【図１０】
2010040492.tif 000012